(57)【要約】【課題】商用コンセントがない場所でも使用可能な捕虫器を提供する。【解決手段】光源部２０およびフレーム部１０を備える捕虫器１であって、フレーム部１０は、光源部２０が設置される下部フレームと、虫捕獲用の粘着シートを保持する上部フレームとを備え、光源部２０は、虫を誘引するための光源と、光源に電力供給を行うバッテリと、光源の点灯制御およびバッテリの充放電制御を行う制御回路と、これら収容するケースとを備え、ケースには、バッテリの充電電力を入力可能とする第１のＵＳＢ端子が設けられていることを特徴とする。【選択図】図１
0003222829.tif 000002
【実用新案登録請求の範囲】
【請求項１】
光源部およびフレーム部を備える捕虫器であって、
前記フレーム部は、
前記光源部が設置される下部フレームと、
虫捕獲用の粘着シートを保持する上部フレームと、を備え、
前記光源部は、
虫を誘引するための光源と、
前記光源に電力供給を行う電力供給手段と、
前記光源の点灯制御を行う制御回路と、
前記光源、前記電力供給手段および前記制御回路を収容するケースと、を備えることを特徴とする捕虫器。
【請求項２】
前記電力供給手段は、乾電池であることを特徴とする請求項１に記載の捕虫器。
【請求項３】
前記電力供給手段は、充放電可能に構成されたバッテリであり、
前記制御回路は、前記バッテリの充放電制御を行い、
前記ケースには、前記バッテリの充電電力を入力可能とする第１のＵＳＢ端子が設けられていることを特徴とする請求項１に記載の捕虫器。
【請求項４】
前記ケースには、前記バッテリの放電電力を出力可能とする第２のＵＳＢ端子が設けられていることを特徴とする請求項３に記載の捕虫器。
【請求項５】
前記第１のＵＳＢ端子および前記第２のＵＳＢ端子は、前記ケースの一方側の端面に設けられていることを特徴とする請求項４に記載の捕虫器。
【請求項６】
前記ケースには、前記第１のＵＳＢ端子に前記充電電力が入力されているときに点灯するインジケータ用光源が設けられていることを特徴とする請求項３〜５のいずれか一項に記載の捕虫器。
【請求項７】
発電電力を生成するソーラーパネルをさらに備え、
前記ソーラーパネルは、前記第１のＵＳＢ端子に接続可能なＵＳＢコネクタを備え、前記ＵＳＢコネクタが前記第１のＵＳＢ端子に接続された状態で、前記発電電力を前記バッテリに供給して、前記バッテリの充電を行うことを特徴とする請求項３〜６のいずれか一項に記載の捕虫器。
【請求項８】
前記ケースには、前記光源を点灯させるためのスイッチが設けられており、
前記制御回路は、前記光源の調光制御を行い、
前記スイッチは、前記光源の輝度を段階的に切り替えることを特徴とする請求項１〜７のいずれか一項に記載の捕虫器。
【請求項９】
前記フレーム部は、少なくとも前記下部フレームが金属製であり、
前記光源は、前記ケースの下面に磁石が設けられており、前記磁石によって前記下部フレームに着脱自在に取り付けられていることを特徴とする請求項１〜８のいずれか一項に記載の捕虫器。
【請求項１０】
前記フレーム部は、両側面が開放され、かつ正面側において前記下部フレームと前記上部フレームとの間が開放されていることを特徴とする請求項１〜９のいずれか一項に記載の捕虫器。
【請求項１１】
前記光源は、一列に配置された複数のＬＥＤ光源からなることを特徴とする請求項１〜１０のいずれか一項に記載の捕虫器。
【請求項１２】
前記ケースは、下面の両端にストラップを取り付けるための取付部を有し、
前記下部フレームには、前記取付部と対向する位置に、前記ストラップが通る貫通孔が設けられていることを特徴とする請求項１〜１１のいずれか一項に記載の捕虫器。
【請求項１３】
前記下部フレームには、係止孔が設けられており、
前記係止孔は、丸孔と、前記丸孔に連続する前記丸孔の径よりも狭い径の長孔とを含むことを特徴とする請求項１〜１２のいずれか一項に記載の捕虫器。
【考案の詳細な説明】
【技術分野】
【０００１】
本考案は、捕虫器に関する。
【背景技術】
【０００２】
従来の捕虫器としては、例えば、特許文献１に記載のものが知られている。この捕虫器は、光源と、粘着シートと、光源に電力を供給するための電源コードとを備える。この捕虫器では、電源コードのプラグを商用コンセントに差し込むことで、光源を点灯させて虫を誘引し、誘引した虫を粘着シートで捕獲することができる。
【先行技術文献】
【特許文献】
【０００３】
【特許文献１】特開２００７−８号公報
【考案の概要】
【考案が解決しようとする課題】
【０００４】
しかしながら、上記従来の捕虫器は、商用コンセントがない場所では使用することができないという問題がある。
【０００５】
本考案は上記事情に鑑みてなされたものであって、その課題とするところは、商用コンセントがない場所でも使用可能な捕虫器を提供することにある。
【課題を解決するための手段】
【０００６】
上記課題を解決するために、本考案に係る捕虫器は、
光源部およびフレーム部を備える捕虫器であって、
前記フレーム部は、
前記光源部が設置される下部フレームと、
虫捕獲用の粘着シートを保持する上部フレームと、を備え、
前記光源部は、
虫を誘引するための光源と、
前記光源に電力供給を行う電力供給手段と、
前記光源の点灯制御を行う制御回路と、
前記光源、前記電力供給手段および前記制御回路を収容するケースと、を備えることを特徴とする。
【０００７】
この構成によれば、電力供給手段が光源に電力供給を行うので、商用コンセントがない場所でも使用することができる。
【０００８】
上記捕虫器において、
前記電力供給手段は、乾電池であってもよい。
【０００９】
上記捕虫器において、
前記電力供給手段は、充放電可能に構成されたバッテリであり、
前記制御回路は、前記バッテリの充放電制御を行い、
前記ケースには、前記バッテリの充電電力を入力可能とする第１のＵＳＢ端子が設けられていることが好ましい。
【００１０】
この構成によれば、バッテリを予め充電しておくことで、商用コンセントがない場所でも使用することができる。また、充電し忘れた場合であっても、ＵＳＢケーブルとＵＳＢ接続が可能な電気機器（例えば、ノートパソコン）があれば、第１のＵＳＢ端子にＵＳＢケーブルを差込んでバッテリを充電することができる。
【００１１】
上記捕虫器において、
前記ケースには、前記バッテリの放電電力を出力可能とする第２のＵＳＢ端子が設けられていることが好ましい。
【００１２】
上記捕虫器において、
前記第１のＵＳＢ端子および前記第２のＵＳＢ端子は、前記ケースの一方側の端面に設けられていてもよい。
【００１３】
上記捕虫器において、
前記ケースには、前記第１のＵＳＢ端子に前記充電電力が入力されているときに点灯するインジケータ用光源が設けられていてもよい。
【００１４】
上記捕虫器において、
発電電力を生成するソーラーパネルをさらに備え、
前記ソーラーパネルは、前記第１のＵＳＢ端子に接続可能なＵＳＢコネクタを備え、前記ＵＳＢコネクタが前記第１のＵＳＢ端子に接続された状態で、前記発電電力を前記バッテリに供給して、前記バッテリの充電を行うよう構成できる。
【００１５】
上記捕虫器において、
前記ケースには、前記光源を点灯させるためのスイッチが設けられており、
前記制御回路は、前記光源の調光制御を行い、
前記スイッチは、前記光源の輝度を段階的に切り替えるよう構成できる。
【００１６】
上記捕虫器において、
前記フレーム部は、少なくとも前記下部フレームが金属製であり、
前記光源は、前記ケースの下面に磁石が設けられており、前記磁石によって前記下部フレームに着脱自在に取り付けられていてもよい。
【００１７】
上記捕虫器において、
前記フレーム部は、両側面が開放され、かつ正面側において前記下部フレームと前記上部フレームとの間が開放されているよう構成できる。
【００１８】
上記捕虫器において、
前記光源は、一列に配置された複数のＬＥＤ光源からなってもよい。
【００１９】
上記捕虫器において、
前記ケースは、下面の両端にストラップを取り付けるための取付部を有し、
前記下部フレームには、前記取付部と対向する位置に、前記ストラップが通る貫通孔が設けられているよう構成できる。
【００２０】
上記捕虫器において、
前記下部フレームには、係止孔が設けられており、
前記係止孔は、丸孔と、前記丸孔に連続する前記丸孔の径よりも狭い径の長孔とを含むよう構成できる。
【考案の効果】
【００２１】
本考案によれば、商用コンセントがない場所でも使用可能な捕虫器を提供することができる。
【図面の簡単な説明】
【００２２】
【図１】本考案に係る捕虫器であって、光源部とフレーム部とを分離した状態の斜視図である。
【図２】本考案に係る捕虫器のフレーム部の斜視図である。
【図３】本考案に係る捕虫器の底面図である。
【図４】本考案に係る捕虫器の右側面図である。
【図５】本考案に係る捕虫器の光源部の斜視図である。
【図６】本考案に係る捕虫器の左側面図である。
【図７】本考案に係る捕虫器の光源部の回路図である。
【考案を実施するための形態】
【００２３】
以下、添付図面を参照して、本考案に係る捕虫器の実施形態について説明する。
【００２４】
図１に、本考案の一実施形態に係る捕虫器１を示す。捕虫器１は、フレーム部１０および光源部２０を備える（図１では、フレーム部１０と光源部２０とを分離している）。光源部２０には、ＵＳＢケーブル３０を接続することができる。
【００２５】
図２に示すように、フレーム部１０は、下部フレーム１１と、上部フレーム１２とを備える。下部フレーム１１と上部フレーム１２とは、金属（例えば、アルミニウム）で構成されている。
【００２６】
下部フレーム１１は、平板状に形成され、上面側に光源部２０を設置するための設置枠１３を有する。設置枠１３は、長方形状に形成された枠であって、光源部２０の位置決めに使用される。
【００２７】
図３に示すように、下部フレーム１１には、一対の貫通孔１４と、一対の係止孔１５とが設けられている。貫通孔１４は、丸孔からなり、係止孔１５は、丸孔と、丸孔に連続する丸孔の径よりも狭い径の長孔とからなる。貫通孔１４は、光源部２０に取り付けられたストラップを通すための孔である。係止孔１５は、下部フレーム１１を壁や柱等に設けられたフック等に引っ掛けるための孔である。
【００２８】
図２に示すように、上部フレーム１２は、曲板状に形成され、背面側の端部が下部フレーム１１の背面側の端部と連結している。上部フレーム１２および下部フレーム１１からなるフレーム部１０は、両側面が開放され、かつ正面側において上部フレーム１２と下部フレーム１１との間が開放されている。この開放された部分から光源部２０が光を放ち、虫を誘引する。
【００２９】
上部フレーム１２は、内側において虫捕獲用の粘着シートを保持する。具体的には、図４に示すように、上部フレーム１２の正面側の端部に、内側に折り曲げられた保持部１６が形成されており、保持部１６により粘着シートが上部フレーム１２に沿って湾曲した状態で保持される。
【００３０】
光源部２０は、光源２１と、バッテリ２２と、制御回路２３と、これらを収容するケース２４とを備える。光源部２０は、下部フレーム１１の上面に設けられた設置枠１３内に設置される。
【００３１】
光源２１は、虫を誘引するためのもので、紫外線を含む光を照射する。図５に示すように、光源２１として、本実施形態では、回路基板上に一列に配置された複数のＬＥＤ光源を用いる。
【００３２】
バッテリ２２は、充放電可能に構成されたバッテリ（例えば、リチウムイオンバッテリ）であり、光源２１に電力供給を行う。
【００３３】
制御回路２３は、光源２１の点灯制御（調光制御を含む）を行う第１制御回路２３Ａと、バッテリ２２の充放電制御を行う第２制御回路２３Ｂとを含む。第１制御回路２３Ａおよび第２制御回路２３Ｂは、例えば、マイコンおよび／または専用のＩＣで構成される。なお、第１制御回路２３Ａと第２制御回路２３Ｂとを、併せて１つの回路（１つのマイコンおよび／または専用のＩＣ）で構成してもよい。
【００３４】
ケース２４は、光源２１と、バッテリ２２と、制御回路２３とを収容する。図６に示すように、ケース２４の左側の端面には、Ｍｉｃｒｏ−ＵＳＢ端子２５と、ＵＳＢ端子２６と、インジケータ用光源２７とが設けられている。
【００３５】
Ｍｉｃｒｏ−ＵＳＢ端子２５は、本考案の「第１のＵＳＢ端子」に相当し、バッテリ２２の充電電力を入力可能とする。ＵＳＢ端子２６は、本考案の「第２のＵＳＢ端子」に相当し、バッテリ２２の放電電力を出力可能とする。インジケータ用光源２７は、ＬＥＤ光源（例えば、赤色ＬＥＤ光源）からなり、Ｍｉｃｒｏ−ＵＳＢ端子２５に充電電力が入力されているときに点灯する。
【００３６】
ケース２４の右側の端面には、図４に示すように、光源２１を点灯させるためのスイッチ２８が設けられている。スイッチ２８は、光源２１の点灯／消灯に加えて、光源２１の輝度を段階的に切り替える。
【００３７】
本実施形態では、スイッチ２８は、光源２１を第１輝度で点灯させる第１状態と、光源２１を第１輝度よりも明るい第２輝度で点灯させる第２状態と、光源２１を第２輝度よりも明るい第３輝度で点灯させる第３状態と、光源２１を消灯させる第４状態とに切り替える。光源２１の連続点灯時間は、第１状態＞第２状態＞第３状態の順に短くなる。
【００３８】
ケース２４の下面には、両端に磁石が設けられており、この磁石によって下部フレーム１１の設置枠１３内に着脱自在に取り付けることができる。また、ケース２４の下面には、両端（例えば、磁石の外側）に、ストラップを取り付けるための取付部２９が設けられている（図３参照）。取付部２９に取り付けられたストラップは、下部フレーム１１の貫通孔１４から下部フレーム１１の外に出すことができる。
【００３９】
図７に、光源部２０の回路図を示す。光源２１が消灯状態（第４状態）において、スイッチ２８が押下されると、第１制御回路２３Ａは、光源２１を第１状態にするために、第２制御回路２３Ｂに制御信号（電気信号）を送る。第２制御回路２３Ｂは、制御信号に応じてバッテリ２２を放電させる。これにより、光源２１を第１状態にするための放電電力が、第２制御回路２３Ｂおよび第１制御回路２３Ａを介して光源２１に供給され、光源２１が点灯して第１状態になる。
【００４０】
光源２１が第１状態において、スイッチ２８が押下されると、第１制御回路２３Ａは、光源２１を第２状態にするために、第２制御回路２３Ｂに制御信号を送る。第２制御回路２３Ｂは、制御信号に応じてバッテリ２２の放電量を増加させる。これにより、増加分の放電電力が第２制御回路２３Ｂおよび第１制御回路２３Ａを介して光源２１に供給され、光源２１が第２状態になる。
【００４１】
光源２１が第２状態において、スイッチ２８が押下されると、第１制御回路２３Ａは、光源２１を第３状態にするために、第２制御回路２３Ｂに制御信号を送る。第２制御回路２３Ｂは、制御信号に応じてバッテリ２２の放電量をさらに増加させる。これにより、増加分の放電電力が第２制御回路２３Ｂおよび第１制御回路２３Ａを介して光源２１に供給され、光源２１が第３状態になる。
【００４２】
光源２１が第３状態において、スイッチ２８が押下されると、第１制御回路２３Ａは、光源２１を消灯状態（第４状態）にするために、第２制御回路２３Ｂに制御信号を送る。第２制御回路２３Ｂは、制御信号に応じてバッテリ２２の放電を停止させる。これにより、放電電力が光源２１に供給されなくなり、光源２１が第４状態になる。
【００４３】
Ｍｉｃｒｏ−ＵＳＢ端子２５にＵＳＢケーブル３０が差込まれ、ＵＳＢケーブル３０を介して外部の電気機器（例えば、ノートパソコン）からＭｉｃｒｏ−ＵＳＢ端子２５に充電電力を供給可能な状態になると、第２制御回路２３Ｂは、当該充電電力をバッテリ２２に供給してバッテリ２２を充電するとともに、充電が完了または停止するまでインジケータ用光源２７を点灯させる。
【００４４】
また、ＵＳＢ端子２６にＵＳＢケーブル３０が差込まれ、ＵＳＢケーブル３０に充電可能な電気機器（例えば、スマートフォン）が接続されると、第２制御回路２３Ｂは、バッテリ２２を放電させ、その放電電力でＵＳＢケーブル３０に接続されたスマートフォン等の電気機器を充電する。
【００４５】
結局、本実施形態に係る捕虫器１は、バッテリ２２を予め充電しておくことで、商用コンセントがない場所でも使用することができる。また、充電し忘れた場合であっても、ＵＳＢケーブル３０とＵＳＢ接続が可能な電気機器（例えば、ノートパソコン）があれば、Ｍｉｃｒｏ−ＵＳＢ端子２５にＵＳＢケーブル３０を差込んでバッテリ２２を充電することができる。
【００４６】
さらに、本実施形態に係る捕虫器１は、バッテリ２２の放電電力を出力可能にするＵＳＢ端子２６を備えているので、その放電電力によりＵＳＢケーブル３０に接続されたスマートフォン等の電気機器を充電することができる。
【００４７】
以上、本考案に係る捕虫器の好ましい実施形態について説明したが、本考案は上記実施形態に限定されるものではない。
【００４８】
本考案に係る捕虫器は、フレーム部が、光源部が設置される下部フレームと、虫捕獲用の粘着シートを保持する上部フレームとを備え、光源部が、虫を誘引するための光源と、光源に電力供給を行う電力供給手段と、光源の点灯制御を行う制御回路と、これらを収容するケースとを備えるのであれば、適宜構成を変更できる。
【００４９】
上記実施形態では、電力供給手段として充放電可能に構成されたバッテリ２２を用いているが、バッテリ２２の代わりに乾電池を用いてもよい。
【００５０】
電力供給手段としてバッテリを用いる場合、本考案に係る捕虫器は、発電電力を生成するソーラーパネルをさらに備えていてもよい。ソーラーパネルは、第１のＵＳＢ端子に接続可能なＵＳＢコネクタを備え、ＵＳＢコネクタが第１のＵＳＢ端子に接続された状態で、発電電力をバッテリに供給して、バッテリの充電を行う。この場合、ソーラーパネルの発電電力がバッテリの充電電力になる。また、ＵＳＢコネクタは、ソーラーパネル本体に着脱自在に構成されたＵＳＢケーブルを含む。
【００５１】
本考案に係る捕虫器は、フレーム部の材質、形状等を適宜変更することができる。例えば、下部フレームと上部フレームとを別部材で構成してもよい。
【００５２】
光源としてＬＥＤ光源以外のものを使用できる。
【００５３】
電力供給手段としてバッテリを用いる場合、ケースには、バッテリの放電電力を出力可能とする第２のＵＳＢ端子が設けられていることが好ましいが、第２のＵＳＢ端子は省略してもよい。
【００５４】
第１のＵＳＢ端子および第２のＵＳＢ端子は、上記実施形態のようにケースの一方側の端面に設けてもよいし、それぞれ別の場所に設けてもよい。
【００５５】
上記実施形態では、制御回路が光源の調光制御を行い、光源の輝度を段階的に切り替えているが、少なくとも点灯と消灯とを切り替えることができればよい。
【符号の説明】
【００５６】
１    捕虫器
１０    フレーム部
１１    下部フレーム
１２    上部フレーム
１３    設置枠
１４    貫通孔
１５    係止孔
１６    保持部
２０    光源部
２１    光源
２２    バッテリ
２３    制御回路
２３Ａ    第１制御回路
２３Ｂ    第２制御回路
２４    ケース
２５    Ｍｉｃｒｏ−ＵＳＢ端子
２６    ＵＳＢ端子
２７    インジケータ用光源
２８    スイッチ
２９    取付部
３０    ＵＳＢケーブル
【図１】
0003222829.tif 000003
【図２】
0003222829.tif 000004
【図３】
0003222829.tif 000005
【図４】
0003222829.tif 000006
【図５】
0003222829.tif 000007
【図６】
0003222829.tif 000008
【図７】
0003222829.tif 000009